(57)【特許請求の範囲】
【請求項１】
ほゞ四角形の底版と、該底版の隣り合う二辺からそれぞれ直立する辺部側壁とからなるプレキャストコンクリート製のコーナー壁部材を、４隅に間隔をおいて設置するとゝもに、隣り合うコーナー壁部材の対向する両辺部側壁の間にボックスカルバートを接続して分岐部を形成し、該分岐部の底部に打設した現場打ちコンクリートにより前記各コーナー壁部材をその底版を介して一体に形成するとゝもに、前記分岐部の上方開口部を頂版で閉塞したことを特徴とする地下構造物の分岐部構造体。
【請求項２】
前記分岐部の内部にＬ字型ないし逆Ｔ字型の仕切り壁部材を複数個直列に設置して、その仕切り壁で前記分岐部の内部を左右又は前後に仕切るとゝもに、前記分岐部の底部に打設した現場打ちコンクリートにより前記コーナー壁部材および仕切り壁部材をそれぞれの底版を介して一体に形成したことを特徴とする請求項１記載の地下構造物の分岐部構造体。
【請求項３】
前記コーナー壁部材の底版の端面から、現場打ちコンクリートと一体化するための補強筋を突出する構成としたことを特徴とする請求項１又は２記載の地下構造物の分岐部構造体。
【請求項４】
前記頂版が矩形状に分割され、分割された頂版をプレストレス連結して一体化している構成としたことを特徴とする請求項１又は２記載の地下構造物の分岐部構造体。
【請求項５】
前記コーナー壁部材と前記ボックスカルバート、また前記頂版と前記コーナー壁部材またはボックスカルバートをボルト連結により連結する構成としたことを特徴とする請求項１，２，３又は４記載の地下構造物の分岐部構造体。
【請求項６】
前記仕切り壁部材の仕切り壁に窓穴を形成したことを特徴とする請求項２，３，４又は５記載の地下構造物の分岐部構造体。
【発明の詳細な説明】
【技術分野】
【０００１】
本願発明は、地下貯水池，共同溝或いは人道などのボックスカルバートを用いた地下構
造物の分岐部構造体に関する。
【背景技術】
【０００２】
従来、ボックスカルバートを用いた共同溝等の地下構造物の分岐部は、例えば特開平８
ー１２０７４６号公報に開示されているように、特殊形状のボックスカルバートを用いて
構築するか、或いは現場打ちコンクリートで構築している。
【０００３】
【特許文献１】特開平８−１２０７４６号公報
【発明の開示】
【発明が解決しようとする課題】
【０００４】
しかし、現場打ちコンクリートにより構築する方法は、多くの手間と経費を要するとと
もに、作業が天候に左右されやすいといった諸問題点がある。また、特殊形状のボックス
カルバートを用いて構築する方法は、通常の直方体のボックスカルバートとは相違する特
殊形状の別のボックスカルバートを用いるので、分岐部の構築に多大の手間と経費を要す
るとゝもに、設置現場の状況に合わせて溝路の分岐角度を変える必要があり、製造が煩雑
であるといった問題点もある。
【０００５】
本発明は、共同溝などの溝路が斜角で交差するような分岐部であっても、コーナー角を
調節した複数のプレキャスト製のコーナー壁部材を用意することで自在に対応できるとゝ
もに、溝路として通常のボックスカルバートを接続することで、容易に構築できる地下構
造物の分岐部構造体を提供することを目的としたものである。
【課題を解決するための手段】
【０００６】
上記の目的を達成するために、本願の請求項１に記載の発明は、四角形の底版と、該底
版の隣り合う二辺からそれぞれ直立する辺部側壁とからなるプレキャストコンクリート製
のコーナー壁部材を、４隅に間隔をおいて設置するとゝもに、隣り合うコーナー壁部材の
対向する両辺部側壁の間にボックスカルバートを接続して分岐部を形成し、該分岐部の底
部に打設した現場打ちコンクリートにより前記各コーナー壁部材をその底版を介して一体
に形成するとゝもに、前記分岐部の上方開口部を頂版で閉塞したことを特徴とする。
【０００７】
また、上記の目的を達成するために、本願の請求項２に記載の発明は、前記分岐部の内
部にＬ字型ないし逆Ｔ字型の仕切り壁部材を複数個直列に設置して、その仕切り壁で前記
分岐部の内部を左右又は前後に仕切るとゝもに、前記分岐部の底部に打設した現場打ちコ
ンクリートにより前記コーナー壁部材および仕切り壁部材をそれぞれの底版を介して一体
に形成したことを特徴とする。
【０００８】
そして、上記の目的を達成するために、本願の請求項３に記載の発明は、前記コーナー
壁部材の底版の端面から、現場打ちコンクリートと一体化するための補強筋を突出する構
成としたことを特徴とする。更に、本願の請求項４に記載の発明は、前記頂版が矩形状に
分割され、分割された頂版をプレストレス連結して一体化している構成としたことを特徴
とし、本願の請求項５に記載の発明は、前記コーナー壁部材と前記ボックスカルバート、
また前記頂版と前記コーナー壁部材またはボックスカルバートをボルト・ナットにより連
結する構成とし、更には、本願の請求項３に記載の発明は、前記仕切り壁部材の仕切り壁
に窓穴を形成したことを特徴とする。
【発明の効果】
【０００９】
上記の構成とすることで、分岐部を現場打ちコンクリートによって形成する従来の方法
に比べ工期が格段に早まる。また、前記コーナー用壁部材は擁壁のコーナー部として一般
に用いられているＬ型の擁壁部材をそのまま用いることができるため、特殊な型枠を用い
る必要がない。そしてまた、分岐部の四隅に設置されるプレキャスト製コーナー用壁部材
のコーナー角度が、予め直角以外の角度に調整されたものを二組、対角線上に向き合う位
置に一組づづ用いることで、分岐する溝路の交差角度を自由に設計できる。
【発明を実施するための最良の形態】
【００１０】
以下、本発明を図面に示す実施例に基づいて詳細に説明する。図１及び図２において、
Ｈは平面視がほゞ正方形状の分岐部構造体で、この分岐部構造体Ｈは、４隅に間隔をおい
てそれぞれ設置したプレキャスト製のコーナー壁部材１と、互いに隣り合うコーナー壁部
材１，１の間に設置したボックスカルバート５（５Ａ，５Ｂ）と、分岐部Ｈａの底部に打
設する現場打ちコンクリートで形成した底壁部６と、前記分岐部Ｈａの上方開口部を閉じ
る頂版７とから主に構成されている。
【００１１】
前記コーナー壁部材１は、図６に示すように、ほゞ四角形の底版２と、この底版２の隣
り合う二辺からそれぞれ垂直に立ち上がる辺部側壁３Ａ，３Ｂで主に構成されており、図
示の実施形態では、前記底版２の内側に位置する他の隣り合う二辺の端面に、分岐部構造
体Ｈの底壁部６を形成するために打設する現場打ちコンクリートと一体化するための補強
鉄筋４がそれぞれ突出している。
【００１２】
５はボックスカルバートで、図示の実施形態では、通常使用されている大小二種類のボ
ックスカルバート５Ａ，５Ｂが前記コーナー壁部材１，１の間に設置されている。詳しく
は、４隅に間隔をおいてそれぞれ設置したプレキャスト製のコーナー壁部材１にあって、
隣り合うコーナー壁部材１，１の対向する辺部側壁３Ａの端面と辺部側壁３Ｂの端面との
間に、大きなボックスカルバート５Ａにあっては１個、小さなボックスカルバート５Ｂに
あっては並べて２個をそれぞれ設置してある。
【００１３】
上記のように、４隅に間隔をおいてそれぞれ設置したプレキャスト製の４個のコーナー
壁部材１と、互いに隣り合う前記コーナー壁部材１，１の各辺部側壁３Ａと３Ｂとの間に
それぞれ設置したボックスカルバート５とにより、平面視が矩形状の分岐部Ｈａを形成す
る。つぎに、この分岐部Ｈａの底部に現場打ちコンクリートを打設する。すなわち、前記
各コーナー壁部材１，１の各底版２，２の間にコンクリートを打設し、この現場打ちコン
クリートと前記各底版２とを、該底版２の２つの端面から突出する補強鉄筋４を介して一
体化した底壁部６を形成する。
【００１４】
つぎに、前記コーナー壁部材１の辺部側壁３Ａ，３Ｂ、該辺部側壁３Ａ，３Ｂの間に設
置したボックスカルバート５、および現場打ちコンクリートで形成した底壁部６とからな
る有底箱型の分岐部Ｈａの上方開口部に、一枚の頂版或いは複数枚を一体に連結して形成
した頂版７を設置する。すなわち、前記頂版７は一体のプレキャスト版でもよいが、分岐
部Ｈａの面積が大きい場合には、矩形状のプレキャスト部材をＰＣ鋼材１５で連結し、一
体化したものでもよい。
【００１５】
最後に、前記コーナー壁部材１と前記ボックスカルバート５はアングル型の連結金具Ｒ
を介して、また前記頂版７と前記コーナー壁部材１又はボックスカルバート５は、頂版７
に形成したボルト挿入孔７Ａと前記コーナー壁部材１またはボックスカルバート５に埋設
したアンカーナット１３にそれぞれボルト１４を挿入し、これを締め付けて連結すること
で分岐部構造体Ｈを構築する。なお、地下水が高い場合や雨水が分岐部Ｈａ内に進入する
場合は、前記それぞれの連結部分に止水目地や外側からのモルタル処理等によって連結部
が止水処理がなされる。
【００１６】
図３及び図４に示すものは、前記図１及び図２に示す分岐部構造体Ｈの構成に加え、前
記分岐部Ｈａの内部に、図８に示すようなＬ字型の仕切り壁部材８を複数個直列に設置し
たものであり、この仕切り壁部材８の仕切り壁部９で前記分岐部Ｈａの内部を左右又は前
後に仕切ったものである。すなわち、前記仕切り壁部材８は、底版１０とその一長辺側か
ら垂直に立ち上がる仕切り壁部９を備えたＬ字型のもので、この仕切り壁部９は用いるプ
レキャスト製の仕切り壁部材８によって四方にいかようにも形成することができる。
【００１７】
９Ａは前記仕切り壁部９に形成した窓穴で、仕切り壁部９にこの窓穴９Ａを設けること
で、例えば共同溝として使用する場合の電線ケーブルの分岐が可能となり、また人が行き
来できる通路となる。更に、前記仕切り壁部材８の底版１０には埋め込み鉄筋が設置され
ており、前記底版１０の他方の長辺側にあってその端面からは、前記埋め込み鉄筋の延長
部である補強鉄筋１１の先端部が突出している。なお、この補強鉄筋１１は、分岐部構造
体Ｈの底壁部６を形成するために打設する現場打ちコンクリートと一体化するためのもの
である。
【００１８】
そこで、分岐部Ｈａの内部に仕切り壁部材８を設置する場合には、図示の実施形態のも
のでは、２つ並べて設置した小さなボックスカルバート５Ｂ，５Ｂの面接する夫々の側壁
部分に前記仕切り壁部材８の仕切り壁部９が位置するように配設し、これを複数個直列に
設置した後、通常の埋め込み金具を備えた連結部１２の部分をボルト・ナット締めにより
連結する。つぎに、各コーナー壁部材１，１の各底版２および前記仕切り壁部材８の底版
１０の間にそれぞれコンクリートを打設し、この現場打ちコンクリートと前記底版２，１
０を該底版２，１０の端面から突出する補強鉄筋４，１１を介して一体化した底壁部６を
形成する。その後の工程は上記と同じである。
【００１９】
図５に示すものは、地下構造物の分岐部Ｈａが一定の角度を有する場合の分岐部構造体
Ｈの平面図である。この場合は、図７に示すような、プレキャスト製のコーナー壁部材１
のコーナー角度θが予め直角以外の角度に調整したものを用いる。すなわち、図示の実施
形態にあっては、左上と右下の対角線状に向き合う部分にコーナー角度θが大きな一対の
コーナー壁部材１Ａ，１Ａを、右上と左下の対角線状に向き合う部分に前記のものよりコ
ーナー角度θが小さな一対のコーナー壁部材１Ｂ，１Ｂをそれぞれ設置することで、分岐
する溝路の交差角度を自由に設計できる分岐部Ｈａを構築することができる。その後の工
程は上記と同じである。
【図面の簡単な説明】
【００２０】
【図１】本発明に係る地下構造物の分岐部構造体の分解斜視図である。
【図２】図１のＡ−Ａ線断面矢示図である。
【図３】本発明に係る分岐部構造体の他の実施形態の分解斜視図である。
【図４】図３のＢ−Ｂ線断面矢示図である。
【図５】本発明に係る分岐部構造体の更に他の実施形態の平面図である。
【図６】コーナー壁部材の斜視図である。
【図７】同コーナー壁部材の他の実施形態の斜視図である。
【図８】仕切り壁部材の斜視図である。
【符号の説明】
【００２１】
１  コーナー壁部材
２，１０  底版
３（３Ａ，３Ｂ）  辺部側壁
４，１１  補強鉄筋
５（５Ａ，５Ｂ）  ボックスカルバート
６  底壁部
７  頂版
８  仕切り壁部材
９  仕切り壁部
９Ａ  窓穴
１２  連結部
１３  アンカーナット
１４  ボルト
１５  ＰＣ鋼棒
Ｈ  分岐部構造体
Ｈａ  分岐部
Ｒ  連結金具
【図１】
0004958801.tif 000002
【図２】
0004958801.tif 000003
【図３】
0004958801.tif 000004
【図４】
0004958801.tif 000005
【図５】
0004958801.tif 000006
【図６】
0004958801.tif 000007
【図７】
0004958801.tif 000008
【図８】
0004958801.tif 000009